(57)【要約】【課題】単に点数を競うだけではなく、プレイヤがダーツの形態を変えたり、的に刺さると形態を変えて他のプレイヤの邪魔をしたりすることができるという、従来にないダーツを提供すること。【解決手段】ポイント３とバレル５とシャフト７とフライト９とから構成されるダーツであって、前記バレルには、当該バレルの外観形態を変化させるための形態変化機構等が設けられている。また、前記バレルを、複数の部品によって構成することで、当該部品の装着姿勢、装着位置等を任意に変えることができる。また、前記バレルの形態を可逆的に変形させる変形機構を設けることで、バネ等の弾性手段を蓄勢させた状態で前記バレルを一方の形態に保持し、前記記ポイントに対する押圧によって前記弾性手段の蓄勢を解除することにより前記バレルを他方の形態に変形させることができる。【選択図】        図３
2004242937.tif 000002
【特許請求の範囲】
【請求項１】
ポイントとバレルとシャフトとフライトとから構成されるダーツであって、
前記バレルには、当該バレルの外観形態を変化させるための形態変化機構が設けられていることを特徴とするダーツ。
【請求項２】
前記形態変化機構には、調整手段が設けられており、当該調整手段の操作によって前記バレルの形態を変化させるようになっていることを特徴とするダーツ。
【請求項３】
ポイントとバレルとシャフトとフライトとから構成されるダーツであって、
前記バレルは、複数の部品によって構成されており、当該部品の装着姿勢、装着位置等を任意に変えることができるようになっていることを特徴とするダーツ。
【請求項４】
ポイントとバレルとシャフトとフライトとから構成されるダーツであって、
前記バレルには、当該バレルの形態を可逆的に変形させる変形機構が設けられており、
当該変形機構は、バネ等の弾性手段を蓄勢させた状態で前記バレルを一方の形態に保持し、前記ポイントに対する押圧によって前記弾性手段の蓄勢を解除することにより前記バレルを他方の形態に変形させるようになっていることを特徴とするダーツ。
【請求項５】
ポイントとバレルとシャフトとフライトとから構成されるダーツであって、
前記ポイントには、的の表面に所定間隔で複数植設された棒状の係合子間に嵌着される軸部を有しており、当該軸部表面には前記係合子の周側と嵌合する溝が設けられていることを特徴とするダーツ。
【請求項６】
ポイントとバレルとシャフトとフライトとから構成されるダーツであって、
前記バレルと前記シャフトは、コイルスプリング等の弾性部材を介して結合されていることを特徴とするダーツ。
【発明の詳細な説明】
【０００１】
【発明の属する技術分野】
本願発明はダーツに関する。とくに、小学生程度の子供でも安全に取り扱うことができる玩具用ダーツおよびその周辺技術に関する。
【０００２】
【従来の技術】
従来、手に持って投げる矢若しくは当該矢を的に刺して得点を競うゲームとして、ダーツ（又はダート）が知られている。以下、特段の説明を行わない限り、本願明細書においてダーツとは手に持って投げる矢自体を意味するものとして説明するが、ダーツは先端からポイント、バレル、シャフト、フライトという各部材から構成されている。また、ダーツゲームは、前記構成によるダーツをダーツボードと称される的向かって投げて刺し、刺さった部位に応じて得点を計算し勝敗を決するゲームである。
また、子供向けのダーツゲーム器具として、ポイントに針ではなく磁石を設け、当該磁石の作用によって金属性の的にダーツを吸着させるように構成したゲーム装置が知られている（特許文献１）。
【０００３】
【特許文献１】
登録実用新案第３０５９４９８号公報
【０００４】
【発明が解決しようとする課題】
上記従来のダーツのように、的に対する吸着手段については磁石その他種々のものが考案されている。しかし、ダーツの形態はいずれも予め決まったものであり、ダーツを投げて的に刺す（吸着させる）ことによって点数を競う以外のゲーム的要素は有していなかった。
【０００５】
本願発明は、上記の点に鑑み発明されたものであって、単に点数を競うだけではなく、プレイヤがダーツの形態を変えたり、的に刺さると形態を変えて他のプレイヤの邪魔をしたり、既に的に刺さっている他のダーツを落としたりすることができる、従来にないダーツおよびダーツゲームを提供することをその課題とする。
【０００６】
【課題を解決するための手段】
上記課題を解決するために、本願発明は下記の構成を有する。すなわち、請求項１記載のダーツは、
ポイントとバレルとシャフトとフライトとから構成されるダーツであって、
前記バレルには、当該バレルの外観形態を変化させるための形態変化機構が設けられていることを特徴とする。
【０００７】
また、請求項２記載のダーツは下記の構成を有する。すなわち、
前記形態変化機構には、調整手段が設けられており、当該調整手段の操作によって前記バレルの形態を変化させるようになっていることを特徴とする。
【０００８】
また、請求項３記載のダーツは下記の構成を有する。すなわち、
ポイントとバレルとシャフトとフライトとから構成されるダーツであって、
前記バレルは、複数の部品によって構成されており、当該部品の装着姿勢、装着位置等を任意に変えることができるようになっていることを特徴とする。
【０００９】
また、請求項４記載のダーツは下記の構成を有する。すなわち、
ポイントとバレルとシャフトとフライトとから構成されるダーツであって、
前記バレルには、当該バレルの形態を可逆的に変形させる変形機構が設けられており、
当該変形機構は、バネ等の弾性手段を蓄勢させた状態で前記バレルを一方の形態に保持し、前記ポイントに対する押圧によって前記弾性手段の蓄勢を解除することにより前記バレルを他方の形態に変形させるようになっていることを特徴とする。
【００１０】
また、請求項５記載のダーツは下記の構成を有する。すなわち、
ポイントとバレルとシャフトとフライトとから構成されるダーツであって、
前記ポイントには、的の表面に所定間隔で複数植設された棒状の係合子間に嵌着される軸部を有しており、当該軸部表面には前記係合子の周側と嵌合する溝が設けられていることを特徴とする。
【００１１】
また、請求項６記載のダーツは下記の構成を有する。すなわち、
ポイントとバレルとシャフトとフライトとから構成されるダーツであって、
前記バレルと前記シャフトは、コイルスプリング等の弾性部材を介して結合されていることを特徴とする。
【００１２】
【発明の実施の形態】
以下、本願発明に係るダーツの一実施の形態を説明する。
図１は、本願発明に係るダーツの主な構成を示した構成図と、当該構成図に加えダーツの先端部（ポイント）と的との係合部位を部分的に拡大して表したものである。
図１において１はダーツを示しており、当該ダーツ１は、ポイント３、バレル５、シャフト７、フライト９を有し、当該各部材を結合させることによって１本のダーツを構成している。以下、各構成要素について詳細に説明する。
ポイント３は、後述する的１１に設けた複数の係合子１３と係合する軸部１５を先端に有し、前記バレル５に設けた雌ねじと螺合するための雄ねじ１７を後端面１９に有している。前記軸部１５は、前記複数の係合子１３間に嵌り合う程度の軸径を有した棒状の部位であり、先端は球面状に形成されている。また、軸１５の周面には、断面形状が略直角の４本の凹溝２１が９０度間隔（等間隔）で設けられている。逆を言えば、軸部１５の先端が十字形状に形成されていることになる。
前述のように、ポイント３の後端面１９には雄ねじ１７が設けられており、雄ねじ１７が後述するバレル５の雌ねじ２３と螺合し、後端面１９とバレル５の先端面２５とが当接し、バレル５に対してポイント３が一体的に固定されるようになっている。
なお、本実施の形態および他の実施例においては、すべてポイントとバレルを別体として設けた場合について説明しているが、必要に応じてポイントとバレルを一体的に構成しても差し支えない。
【００１３】
また、前述のようにポイント３は的１１に設けた複数の係合子１３と係合するようになっている。本実施の形態では、図１において示した拡大図のように、立設している係合子１３（４本の係合子）の間に刺さるようにポイント３が係合する。この際、軸１５周面に設けた凹溝２１の内面と、当該軸１５と接する４本の係合子の周側面とが嵌り合うように接し、両者間の接触面積を増やすことができるので一度刺さったポイントを抜けにくくすることができる。
また、このような構造を採用することで、軸１５を単純な円柱状に形成する場合にくらべ、軸１５の外形を大きくすることができ、軸１５自体の強度を高め折れにくくすることができる。
【００１４】
バレル５は前述のように、ポイント３を先端面２５に取り付け若しくは一体的に設けた部材であり、後端面２７に雌ねじ２９を設け詳しくは後述するシャフト７を取り付けられるように構成された部材である。なお、図１の例ではその外観形状を中央付近外周にくびれを形成し長手方向両端部に向かって直径を小さくするようにテーパ部を設けた円柱状の部材として形成しているが、後述する他の実施の形態のように、種々の形状、構造のものが用いられる。
【００１５】
シャフト７は、前記バレル５の全長（前後長）よりも若干長い寸法に形成された細長い棒状の部材であり、先端面２９に雄ねじ３１を有し、後端に後述するフライト９の取付部３３を形成したものである。当該構成により、シャフト７先端の雄ねじ３１をバレル５後端の雌ねじ２９と螺合させ、先端面２９とバレル５の後端面２７とを当接させることにより、バレル５に対してシャフト７を一体的に固定するようになっている。
前記取付部３３は、シャフト７の後端３５に対して後方から十字状に切り込みを入れたように形成したスリットとして形成されている。当該スリットの全長は後端３５から１ｃｍ程度に形成され、当該スリットに対して次に述べるフライト９がはめ込まれる。
なお、当該スリットを含め他の部材の諸寸法はダーツ全体の大きさ、各部材の機能等により適時変更されるものである。
【００１６】
フライト９は、羽根となる４枚の各薄板３５を、ダーツ１の進行方向に対して、十字形状となるように設けたものである。すなわち、各薄板３５はダーツ１の長手方向を軸として放射状に等間隔で配置されるようになっている。
なお、図示しての説明は省略するが、フライト９は、４枚の合成樹脂シートを同一形状に裁断して中央部で直角に折り曲げ、折り曲げた各シートを各折り曲げ部が一致（対向）するように接合させ、互いに対向する羽根同士を接着することにより形成したものである。すなわち、フライト９を構成する４枚の各羽根は全て２枚のシートの重ね合わせによって形成され、十字形状の交点が４枚のシートの各折り曲げ部位が集まった部位となっている。このような構造によって、フライト９を簡単かつ迅速に製造できるとともに、薄く、軽く形成することができ、かつ変形や破壊に対して高い強度が得られるようになっている。
【００１７】
上記構成を有するダーツ１は、図２に示すように的１１に向かって投げ、的１１表面に複数立設している係合子１３間に刺すことで、所定のゲームルールに則って遊ぶことができる。
なお、本願発明に係るダーツは、ダーツゲームを単独で行うものではなく、対戦相手と交互にダーツを投げ合って相手のダーツを落としたり、相手の投げたダーツが的に刺さるのを妨害したりするゲームに適したものである。
【００１８】
【実施例】
以下、本願発明のダーツに係る複数の実施例を説明する。
［第１実施例］
図３、図４、図５は、本願発明に係るダーツの一例を表している。本実施例のダーツ１ａは、バレル５ａの形態を使用者によって変化させることができるように構成したものである。また、本実施例ではバレル５ａを除き、ポイント３ａ、シャフト７ａ、フライト９ａは前述した発明の実施の形態で説明したダーツ１と外観形状を除きほぼ同一の構造を有している。以下、ポイント３ａ、シャフト７ａ、フライト９ａは、前述のダーツ１の各構成要素と略同一の構造を有しているので詳細な説明は省略し、バレル５ａを中心に説明を行う。
【００１９】
バレル５ａは、使用者によって操作可能な調整部材（可動部材）を有した形態変化機構が設けられたものであり、調整部材の操作によって図３に示す形態から図４示す形態へ可逆的に変化させることができるものである。
図５はバレル５ａの分解斜視図を表している。図５に示すように、バレル５ａは、主な構成として基部材４１、可動部材４３、保持部材４５（４５ａ、４５ｂ）、回動部材４７（４７ａ、４７ｂ）、リンクアーム４９（４９ａ、４９ｂ）とから構成されている。
基部材４１は、先端面にポイント３ａの雄ねじ（図示せず）を螺合させるための雌ねじ２３ａを有し、後部に雄ねじを形成した長軸５１を設け、左右に前記回動部材４７ａ、４７ｂをそれぞれ回動自在に軸受けするための凸軸５３（５３ａ、５３ｂ）を設けた部材である。
可動部材４３は、先端にフランジ状の凸縁５５、後端に６角ナット状の凸部５７を設け、内部に雌ねじを形成した孔５９を有した筒状の部材であり、保持部材４５に回動自在に保持されるようになっている。また、孔５９に形成した雌ねじは前記基部材４１の長軸５１と螺合するようになっており、可動部材４３を回動させることで基部材４１に対して前後に移動するようになっている。
【００２０】
保持部材４５は、上下二つ割りに形成された半割体４５ａ、４５ｂの接合によって構成されたものであり、半割体４５ａ、４５ｂ間に前記可動部材４３の外周を遊嵌させるようになっている。また、保持部材４５の左右には凸軸６１（６１ａ、６１ｂ）が設けられている。
回動部材４７（４７ａ、４７ｂ）は、一端に前記基部材４１の凸軸５３（５３ａ、５３ｂ）に対して回動自在に取り付けられる軸孔６３（６３ａ、６３ｂ）を有し、軸孔６３を設けた部位と同一側縁の他端にも軸孔６５（６５ａ、６５ｂ）を形成した部材である。本実施の形態では、機械的な翼のようなデザインに形成されている。
リンクアーム４９（４９ａ、４９ｂ）は、一端に凸軸６７（６７ａ、６７ｂ）、他端に軸孔６９（６９ａ、６９ｂ）を形成した部材であり、凸軸６７ａ、６７ｂが前記各回動部材４７ａ、４７ｂの軸孔６５ａ、６５ｂに回動自在に嵌着されるようになっている。また、リンクアーム４９の各軸孔６９ａ、６９ｂは前述した保持部材４５の左右に設けた凸軸６１ａ、６１ｂに回動自在に取り付けられる。
【００２１】
上記の構成により、本実施例に係るバレル５ａは、基部材４１に対して可動部材４３を回動させることにより保持部材４５を前後動させ、当該保持部材４５の前後動にともなって各基部材４１と保持部材４５に対してリンク状に取り付けられている回動部材４７とリンクアーム４９を左右に突出させたり戻したりするような動作をさせることができる。
上記各部材の動作により、機械的な翼のようにデザインされている回動部材４７を基部材４１に対して開いた位置にしたり閉じた位置にする等、回動部材４７のような可動部材の基部材４１に対する可動状態を変更可能であるため、バレルの外観形態を調整可能に様々に変化させることができる。
また、このように回動部材４７の基部材４１に対する離間状態を変更し、バレルの外観形態を変えると、当然ながらダーツ１ａの重心位置が変化し、投げた際の空気抵抗も変化する。また、回動部材４７を広げてバレルの横幅を広げた形態にすると、的に刺さった後に他のダーツが的に刺さるのを阻止したりすることができる。
【００２２】
［第２実施例］
図６、図７、図８は、本願発明に係るダーツの一例を表している。本実施例のダーツ１ｂは、バレル５ｂの形態を使用者によって可変できるように構成したものである。また、本実施例ではバレル５ｂを除き、ポイント３ｂ、シャフト７ｂ、フライト９ｂは前述した発明の実施の形態で説明したダーツ１と外観形状を除きほぼ同一の構造を有している。以下、ポイント３ｂ、シャフト７ｂ、フライト９ｂは、前述のダーツ１と略同一の構造を有しているので詳細な説明は省略し、バレル５ｂを中心に説明を行う。
【００２３】
バレル５ｂは、使用者によって操作可能な形態変化機構を有しており、当該形態変化機構によって図６に示す形態から図７示す形態に、形態を可逆的に変化させることができるものである。
図８はバレル５ｂの分解斜視図を表している。図８に示すように、バレル５ｂは、主な構成として基部材７１、当該基部材７１に対して上下方向に回動自在に取り付けられる回動部材７３（７３ａ、７３ｂ）、基部材７１の左右の側面に取り付けられる外装部材７５（７５ａ、７５ｂ）とから構成されている。
基部材７１は、先端面にポイント３ｂの雄ねじ（図示せず）を螺合させるための雌ねじ２３ｂを有し、後部にシャフト先端の雄ねじと螺合する雌ねじ（図示せず）が設けられた部材である。基部材７１の後部左右両側面には、それぞれ上下に孔７７（７７ａ、７７ｂ）（左側面に対する図示は省略）が設けられている。回動部材７３は、恐竜の口のような形状に形成した上下一対の部材であり、後端に軸部となる孔７９（７９ａ、７９ｂ）を有している。回動部材７３は、基部材７１の前記孔７７ａ、７７ｂにおいて軸支されることで、基部材７１全体を覆いつつ回動するようになっている。
外装部材７５は、基部材７１の左右両側面に装着される部材であり、各外装部材７５ａ、７５ｂにはそれぞれ２つの突起８１（８１ａ、８１ｂ）が設けられ、前記回動部材７３の孔７９に対して当該突起８１を通した状態で基部材７１に装着されるようになっている。
【００２４】
上記の構成により、ダーツ１ｂのバレル５ｂを、回動部材７３を恐竜の口のように形成し口が開閉するような構造にすることができる。このように構成したダーツ１ｂを、当該回動部材７３を開いた状態で的に対して投げたり、閉じた状態で投げたりすることができる。
このように回動部材７３のような可動部材の基部材７１に対する可動状態を変えると、当然ながらダーツ１ｂの重心位置が変化し、投げた際の空気抵抗も変化する。また、回動部材７３を開いた状態にし、バレルの横幅を広げた形態とすると、的に刺さった後に他のダーツが的に刺さるのを阻止したりすることができる。
【００２５】
［第３実施例］
図９は、本願発明に係るダーツに用いるバレルの他の実施例を表している。本実施例に係るバレル５ｃも、形態を使用者によって変えることができるように構成されたものである。
図９（ａ）は回動部材８３を基部材８５に対して閉じた状態、図９（ｂ）は回動部材８３を基部材８５に対して開いた状態を表している。回動部材８３（８３ａ、８３ｂ）は翼のような形状に形成されており、基部材８５の左右に設けた回動軸  ８７（８７ａ、８７ｂ）に対してそれぞれ取り付けられ、軸部の渋み（摩擦抵抗）によって任意の位置に固定されるようになっている。
また、基部材８５の先端には雌ねじ２３ｃが設けられ、後端面にも雌ねじ（図示せず）が設けられ、各ポイントおよびシャフトが取り付けられるようになっている。
本実施例も実施例１、２同様、回動部材８３のような可動部材の基部材８５に対する可動状態を様々に変化させることでバレルの外観形態を変化させ、ダーツとしての特性を変化させることができる。
【００２６】
［第４実施例］
図１０は、本願発明に係るダーツに用いるバレルの他の実施例を表している。本実施例に係るバレル５ｄも、形態が使用者によって変えることができるように構成されたものである。図１０（ａ）は回動部材８９（８９ａ、８９ｂ）回して左右対称にした状態、図１０（ｂ）は回動部材８９（８９ａ、８９ｂ）を回して作用非対称にした状態を表している。
バレル５ｄは、軸部となる基部材９１を有し、当該軸部９１に対して、翼形状の回動部材８９ａを設けた軸部材９３ａを回動自在に取り付け、同翼形状の回動部材８９ｂを設けた軸部材９３ｂを回動自在に取り付けたものである。
基部材９１の前端部９５ａおよび後端部９５ｂは、前記軸部材９３ａと軸部材９３ｂの端部を押さえることで、図示していない軸から抜け落ちないようになっている。
また、基部材９１の先端には雌ねじ２３ｄが設けられ、後端面にも雌ねじ（図示せず）が設けられ、それぞれポイントおよびシャフトが取り付けられるようになっている。
この基部材９１に対する回動部材８９ａのように取付位置が変更可能な部材の基部材９１に対する取り付け状態を変化させることで、バレルの外観形態を変化させ、ダーツとしての特性を変化させることができる。
【００２７】
［第５実施例］
図１１は、本願発明に係るダーツに用いるバレルの他の実施例を表している。本実施例に係るバレル５ｅも、形態が使用者によって変えることができるように構成されたものである。図１１（ａ）は翼部材９７（９７ａ、９７ｂ）を左右対称に取り付けた状態、図１０（ｂ）は翼部材９７（９７ａ、９７ｂ）を左右非対称に取り付けた状態を表している。
バレル５ｅは、軸部となる略円柱状の基部材９９を有し、当該基部材９９の左右両側面には長手方向に沿って翼部材９７ａ、９７ｂをそれぞれ取り付けるための装着溝１０１（１０１ａ、１０１ｂ）が設けられたものである。当該各装着溝１０１ａ、１０１ｂに対して、翼部材９７ａ、９７ｂの取付用凸部（図示せず）が嵌着され、翼部材９７が着脱自在に取り付けられるようになっている。
なお、当該翼部材９７の取り付けの際、取付方向を任意（本実施例では前後のいずれか）に選択することができる。このように、左右の翼部材９７ａ、９７ｂの取付方向を変えることにより、同一のバレル５ｅであっても複数種類の形態に変えることができるようになっている。
また、基部材９９の先端には雌ねじ２３ｅが設けられ、後端面にも雌ねじ（図示せず）が設けられ、各ポイントおよびシャフトが取り付けられるようになっている。
この翼部材９７のような取付位置が変更可能な部材の基部材９９に対する取り付け状態を変化させることで、バレルの外観形態を変化させ、ダーツとしての特性を変化させることができる。
【００２８】
［第６実施例］
図１２は、本願発明に係るダーツに用いるバレルの他の実施例を表している。本実施例に係るバレル５ｆも、形態を使用者によって変えることができるように構成されたものである。図１２（ａ）はバレル５ｆを構成する各部材、図１２（ｂ）は当該各部材を結合させた状態を表している。
図１２（ａ）に示すように、バレル５ｆは一端にフランジ１０３を形成したシャフト１０５を有し、当該シャフト１０５を中心軸として装着される複数の装着部材１０７（１０７ａ、１０７ｂ、１０７ｃ、１０７ｄ、１０７ｅ）が設けられている。装着部材１０７は各部材を重ね合わせることによって略円錐状に形成されるようになっており、当然ながら各部材の順序を入れ替えたり、装着する向きを変えるなどにより種々の形態とすることができる。
シャフト１０５の端部にはフランジ１０３が形成されているので、最初に装着される装着部材はフランジ１０３に当接してとまり、最後の装着部材はシャフト１０５の端縁に取り付けられるシャフトによって押さえられるようになっている。シャフト１０５の先端には雌ねじ２３ｆが設けられ、後端面にも雌ねじ（図示せず）が設けられ、各ポイントおよびシャフトが取り付けられるようになっている。
この複数の取付位置が変更可能な部材（複数の装着部材１０７）の基部材（シャフト１０５）に対する取り付け状態を変化させることで、バレルの外観形態を変化させ、ダーツとしての特性を変化させることができる。
【００２９】
［第７実施例］
図１３は、本願発明に係るダーツに用いるバレルの他の実施例を表している。本実施例に係るバレル５ｇも、形態を使用者によって変えることができるように構成されたものである。図１３（ａ）はバレル５ｇを構成する各部材、図１３（ｂ）は当該各部材を結合させた状態を表している。
バレル５ｇは、基部材１０９と中間部材１１１と先端部材１１３とから構成されている。基部材１０９は、先端側から小径部１１５ａ、中径部１１５ｂ、大径部１１５ｃというように、長手方向に沿って軸径を変えた部材となっている。大径部１１５ｃは使用者によって把持等される部位であり、中径部１１５ｂは前記中間部材１１１が装着され、小径部１１５ａは前記先端部材１１３が装着される部位となっている。また、基部材１０９の先端にはポイントの雄ねじを螺合させるための雌ねじ２３ｇ、後端にはシャフト先端の雄ねじを螺合させるための雌ねじ（図示せず）が設けられている。
中間部材１１１は、中央に前記中径部１１５ｂと略同径の穴１１７を形成した筒状部１１９を有し、当該筒状部１１９の周囲に４枚の翼状片１２１（１２１ａ〜ｄ）を放射状に設けた部材である。
先端部材１１３は、基部材１０９の小径部１１５ａと略同径の穴１２３を形成した筒状部の部材である。
【００３０】
前記中間部材１１１および先端部材１１３を基部材１０９に対して嵌挿すると、図１３（ｂ）に示すようなバレル５ｇとなる。なお、中間部材１１１の装着方向は任意であり、好みに応じて向きを変えて装着することができる。
先端部材１１３を装着した後は、図示しないポイントを基部材１０９の雌ねじ２３ｇに取り付けることにより、各部材押さえ部材１０９に対して各部材を固定することができるようになっている。
この中間部材１１１のように取付位置（この場合は取り付ける方向）が変更可能な部材の基部材１０９に対する取り付け状態を変化させることで、バレルの外観形態を変化させ、ダーツとしての特性を変化させることができる。
【００３１】
［第８実施例］
図１４は、本願発明に係るダーツに用いるバレルの他の実施例を表している。本実施例に係るバレル５ｈは、前述した調整、組み立て、組み替え型といったものとは異なり、次の特徴点を有している。すなわち、前述したダーツのバレルは形態は変化するものの、ポイント３とシャフト７とを一つの構造物によって結合しているので位置関係が変動することはなかった。これに対して本実施の形態では、ポイント３を取り付ける先端部材１２５とシャフト７を取り付ける基部材１２７とがコイルスプリング１２９を介して固定されている。
本実施例では、基部材１２７は略円柱状の軸部１３１の周囲に放射状に４枚の翼状板１３３を設けた構造となっており、先端面に前記コイルスプリング１２９が取り付けられ後端面にシャフト７を取り付けるための雌ねじ（図示せず）が設けられている。
先端部材１２５は先端にポイント３を取り付けるための雌ねじ２３ｈが設けられた短い円柱状の部材であり、後端面において前記コイルスプリング１２９に取り付けられている。先端部材１２５は前記コイルスプリング１２９に対して荷重がかかっていない状態で、略三角形に形成された前記各翼状板１３３の１つの頂点と先端面が略同じ高さとなるようになっている。
【００３２】
前記構成によるバレル５ｈは、ポイント３を取り付けた先端部材１２５と、シャフト７を取り付けた軸部１３１が弾性体であるコイルスプリング１２９を介して、弾性的に結合する構造となっている。したがって、当該バレル５ｈを使用したダーツは、的に刺さった際にコイルスプリング１２９が撓み、刺さる際に生じる過度の衝撃を吸収することができる。また、コイルスプリング１２９が撓みによってシャフト７が揺動するので、既に的に刺さっている他のダーツ（対戦相手のダーツ）に接触することで落としたりすることができる。また、当該ダーツが既に的に刺さっている状態の場合には、他のダーツが当たることによる衝撃を和らげることができ、当該ダーツの的からの脱落を防止できるという作用を有している。
【００３３】
［第９実施例］
図１５は、本願発明に係るダーツに用いるバレルの他の実施例を表している。本実施例に係るバレル５ｉは、ダーツ１が的に刺さる際の衝撃により所定の機構が動作し、その外観上の形態を変化させる変形機構を有したものである。以下、詳細に説明する。
本実施例に係るバレル５ｉは、先端面にポイント３を取り付けるための雌ねじ２３ｉを設け、先端に向かって小径となるような外形に形成された短い円柱状の先端部材１３５と、当該先端部材１３５を保持し当該先頭部材１３５によって駆動される動作機構を内蔵した基部材１３７と、当該基部材１３７の左右に軸支され前記動作機構と連動して動作する左右の駆動部材１３９とから構成されている。
本実施例ではバレル５ｉは「亀」を模した形状に形成されており、先端部材１３５が頭部、基部材１３７が胴体部、駆動部材１３９が手（腕）となるようなデザインで形成されている。
【００３４】
左右の駆動部材１３９はそれぞれ基部材１３７の左右に設けられた軸部１４１において回動（開閉）自在に軸支されており、基部材１３７内部に設けられた動作機構が有する弾性部材によって開方向へ附勢され、この状態で係止手段によって係止され、当該係止を解除することにより駆動部材１３９が開くように構成されている。
また、前記係止手段は先端部材１３５に対する押圧によって係止を解除するようになっている。
【００３５】
上記構成を有するバレル５ｉは、次にような動作をすることができる。すなわち、的に向かってダーツを投げる前には、バレル５ｉの駆動部材１３９を予め畳んだ状態（弾性部材によって附勢された状態）にする。この状態で基部材１３７に対して１〜数ｍｍの範囲で出没するように構成された先端部材１３５が突出した状態となっている。
当該状態のダーツを的に向かって投げると、的に刺さると同時に先端部材１３５が基部材１３７に対して押し込まれ、当該先端部材１３５によって前記動作機構の係止手段が解除される。当該係止手段の係止が解除されると、弾性部材によって附勢されていた左右の駆動部材１３９、１３９が回動し、開くようになっている。
このように本実施例のダーツは、的に刺さると駆動部材１３９、１３９が開くので予め刺さっているダーツがある場合にはそれを打撃することができる。また、的にささって駆動部材１３９、１３９が開いた状態になっている場合には的の表面が部分的に覆われることなるので、他のダーツが的に刺さるのを防止することができる。
この駆動部材１３９のようにポイントに対する押圧によって駆動される変形機構を備えることで、ダーツを投げる前のみならず投げた後にもバレルの外観形態の変化を行なわせることができる。
【００３６】
［第１０実施例］
図１６は、本願発明に係るダーツに用いるバレルの他の実施例を表している。本実施例に係るバレル５ｊは、ダーツ１が的に刺さる際の衝撃により所定の機構が動作し、その外観上の形態を変化させる変形機構を有したものである。以下、詳細に説明する。
本実施例に係るバレル５ｊは、先端面にポイント３を取り付けるための雌ねじ２３ｊを設け、先端に向かって小径となるような外形に形成された短い円柱状の先端部材１４５と、当該先端部材１４５を保持し当該先頭部材１４５によって駆動される動作機構を内蔵した基部材１４７と、当該基部材１４７の左右に軸支され前記動作機構と連動して動作する左右の駆動部材１４９、１４９とから構成されている。
本実施例ではバレル５ｊは「亀」を模した形状に形成されており、先端部材１４５が頭部、基部材１４７が胴体部、駆動部材１４９が腕となるようなデザインで形成されている。駆動部材１４９、１４９の先端には水かきを模した板状片１５１、１５１がそれぞれ設けられている。
【００３７】
左右の駆動部材１４９はそれぞれ基部材１４７の左右に設けられた軸部（図示せず）において回動（開閉）自在に軸支されており、基部材１４７内部に設けられた動作機構が有する弾性部材によって閉じる方向へ附勢されている。すなわち、駆動部材１４９が開いた状態で係止手段によって係止され、当該係止を解除することにより駆動部材１４９が閉じるように構成されている。
また、前記係止手段は先端部材１４５に対する押圧によって係止を解除するようになっている。
【００３８】
上記構成を有するバレル５ｊは、次にような動作をすることができる。はじめに、的に向かってダーツを投げる前に、バレル５ｊの駆動部材１４９を予め開いた状態（弾性部材によって附勢された状態）にし、基部材１４７に対して１〜数ｍｍの範囲で出没するように異された先端部材１４５を突出させた状態とする。
当該状態のダーツを的に向かって投げると、的に刺さると同時に先端部材１４５が基部材１４７に対して押し込まれ、当該先端部材１４５によって前記動作機構の係止手段が解除される。当該係止手段の係止が解除されると、弾性部材によって附勢されていた左右の駆動部材１４９、１４９が回動し閉じるようになっている。
このように本実施例のダーツは、的に刺さると駆動部材１４９、１４９が閉じる（後方へ回動する）ので、予め刺さっているダーツがある場合にはそれを抜き取るような方向から打撃することができる。また、的にささって駆動部材１４９、１４９が開いた状態になっている場合には、的の表面が部分的に覆われることなるので、他のダーツが的に刺さるのを防止することができる。
この駆動部材１４９のようにポイントに対する押圧によって駆動される変形機構を備えることで、ダーツを投げる前のみならず投げた後にもバレルの外観形態の変化を行なわせることができる。
【００３９】
［第１１実施例］
図１７は、本願発明に係るダーツの他の実施例を表している。図１７において２０１は本実施例に係るダーツを表し、前述したダーツと同様にポイント２０３、バレル２０５、シャフト２０７、フライト２０９とから構成されている。なお、ポイント２０３およびフライト２０９は、発明の実施の形態において説明したポイント３およびフライト９と同様であるので説明を省略する。
バレル２０５は、先端面および後端面にポイント２０３およびフライト２０９に設けられている雄ねじ（図示せず）と螺合する雌ねじをそれぞれ有した略円柱状に形成されている。当該バレル２０５前方の左右には、角棒を階段状に屈曲させたような形状の凸部材２１１がそれぞれ前方に向かって設けられ、後方上部には尾翼のような凸片２１３が設けられている。
【００４０】
前記バレル２０５の後端面にはシャフト２０７が設けられている。本実施例に係るシャフト２０７は、バレル２０５に設けた雌ねじと螺合する雄ねじ（図示せず）を先端に設け次に述べるコイルスプリングを後端部取り付けるための取付部材２１５と、一端を前記取付部材２１５の後端に取り付け他端を次に述べる軸の先端に取り付けたコイルスプリング２１７と、先端を前記コイルスプリング２１７に取り付け後端に前記フライト２０９を取り付けるように構成した軸部材２１９とから構成されている。すなわち、本実施例のシャフト２０７は、バレル２０５に対して弾性体であるコイルスプリング２１７を介して結合されているような状態で取り付けられている。前記コイルスプリング２１７は、ダーツ２０１を水平に保持した状態で、フライト２０９を取り付けた軸部材２１９の自重によって極端に折れ曲がることがない程度の強さのものが用いられている（図１７（ａ）参照）。
図１７（ｃ）はコイルスプリング２１７に対するシャフト２０７の結合部位の形状を表しており、シャフト２０７の先端に球状部を形成し、当該球状部をコイルスプリング２１７の端部内径によって保持するようになっている。
【００４１】
上記構成のシャフト２０７を有したダーツ２０１は、使用時において次に述べるような作用を有する。
すなわち、ダーツ２０１は使用者によって把持された状態および飛行時においては通常のダーツ同様にシャフト２０７が屈曲していない状態となっており、通常のダーツと同様に投げることができ正常な軌跡を描いて飛行させ的に刺すことができる。的に刺さった直後は、軸部材２１９およびフライト２０９がその慣性によってコイルスプリング２１７を屈曲させ所定時間揺動する（図１７（ｂ）参照）。
前記軸部材２１９およびフライト２０９の揺動の際、付近に他のダーツが刺さっている場合には当該フライト２０９等によって打撃することができ、場合によっては的から落とすことができる。
また、先にダーツ２０１が的に刺さっている場合には、他のダーツによって打撃を受けたりしても、コイルスプリング２１７によって打撃が緩衝され的からの落下を防ぐことができるという作用を有する。
このようにバレルのみならずシャフトにも外力により外観形態が変形する機構を備えることで、ダーツとしての特性をより大きく変化させることができる。
【００４２】
［第１２実施例］
次に、本願発明に係るダーツを用いたダーツゲームに使用する的１１について説明する。図１８（ａ）は的１１の構成要素を表した分解斜視図、図１８（ｂ）は的１１に用いる的本体の正面図を表している。
的１１は、主な構成として的本体３０１、得点板３０３、枠部材３０５によって構成されている。枠部材３０５は、６角形状の底板３０７の周縁に所定高さの側壁３０９を設けた硬質合成樹脂製の部材である。当該構成により、枠部材３０５には全周囲を側壁３０９によって囲まれた浅い収容空間が形成されている。また、当該収容空間の底面となる底板３０７には、中央に孔３１１が設けられ、当該孔３１１を中心とした所定半径で６個の小孔３１３が等間隔で設けられている。
【００４３】
前記収容空間には、的に刺さったダーツの得点および得点区分を表す得点板３０３が収容されるようになっている。当該得点板３０３には、前記底板３０７に設けた６個の小孔３１３と同一の配置で６個の小孔３１５が等間隔で設けられている。
前記得点板３０３を収容した枠部材３０５には、さらにその上部から的本体３０１が収容されるようになっている。当該的本体３０１は、半透明の比較的軟質の合成樹脂素材によって形成されており、前記得点板３０３に印刷等によって表示された得点が透けて見えるようになっている。また、的本体３０１の背面には前記枠部材３０５の底板３０７に設けた小孔３１３に嵌挿される６個の突起３１７が設けられている。
【００４４】
的本体３０１は、所定の剛性を有した比較的軟質の合成樹脂素材によって一体成型された部材である。的本体３０１は、前記枠部材の収容空間内に丁度収まる程度の外形に形成された６角形の基板３１９と、当該基板３１９上に設けられた複数の係合子１３と、当該基板３１９上に立設した複数のリブ３２１を有している。
係合子１３は前述したように細い棒状の部材であり、先端が略球面に形成され、前述したダーツのポイントの軸を狭持するような間隔で複数立設されている。また、リブ３２１は前記係合子１３と略同じ高さとなるように形成された板状体であり、当該リブ３２１は前記得点板３０３に表示された得点区分と一致する位置に設けられている。なお、当該リブ３２１はダーツの刺さる位置（得点区分）を仕切る役割と、的本体３０１自体の剛性を高め変形を防止する作用も有している。
【００４５】
【発明の効果】
以上説明した本願発明に係るダーツは、以下に述べる効果を有する。
ダーツの中心位置にあるバレルを種々の形態のものに付け替えることができ、使用者の好みに合ったダーツを形成することができるという効果を有する。すなわち、従来型のダーツも、ポイントを付け替えたりすることは行われていたが、基本的なダーツの形状は何れも同じであり、全く形状が異なるようなダーツを形成するようなものはなかった。本願発明に係るダーツは、このように形態の異なる種々のバレルに付け替えたり、同じバレルであっても調整によって形を変えたり構成要素を組み替えたりすることによりバレルの形態を変え、単に的に当てることのみならず自分好みの外観を持つダーツを作り上げることができるという新たなおもしろさを提供することができるものである。
また、形状を変えるということはダーツ自体の重心位置、空気抵抗等が変化することになり的への刺さり方や飛行形態などダーツとしての特性が変化する。このような変化を使用者の好みに応じて行うことができるというおもしろさも本願発明のダーツは提供することができる。
また、従来のダーツゲームは、正確に的に当てその点数を単に競うものであり、対戦相手のダーツと直接接触させて戦うという要素はなかった。本願発明のダーツはこのような観点から想起されたものであり、既に的に刺さっているダーツを落とす、または後から投げられたダーツが的に刺さるのを防ぐというような新たなゲームを提供することができるものである。すなわち、ダーツ同士を直接接触させ対戦させることができるものである。
また、ポイントの先端形状を十字形としているので、的に設けた棒状の係合子間に刺さった状態では、十字形状の４つの凸部分がポイントを取り囲む４本の各係合子間に嵌り込むような状態にすることができる。すなわち、容易に回転しないようにすることができるとともに、各係合子に対してしっかり密着し容易に脱落しないようにすることができる。
また、上記構造によりポイントの強度を高めることができるとともに、立設した係合子間をすり抜けるように脱落しないという効果を有している。
【図面の簡単な説明】
【図１】図１は本願発明に係るダーツの主な構成を示した構成図および当該構成図を部分的に拡大して表した拡大図である。
【図２】図２は本願発明に係るダーツの使用状態を説明するための説明図である。
【図３】図３は本願発明の第１実施例に係るダーツの一形態を示す斜視図である。
【図４】図４は本願発明の第１実施例に係るダーツの他の形態を示す斜視図である。
【図５】図４は本願発明の第１実施例に係るダーツの分解斜視図である。
【図６】図６は本願発明の第２実施例に係るダーツの一形態を示す斜視図である。
【図７】図７は本願発明の第２実施例に係るダーツの他の形態を示す斜視図である。
【図８】図８は本願発明の第２実施例に係るダーツの分解斜視図である。
【図９】図９は本願発明の第３実施例に係るダーツ（バレル）を表す斜視図である。
【図１０】図１０は本願発明の第４実施例に係るダーツ（バレル）を表す斜視図である。
【図１１】図１１は本願発明の第５実施例に係るダーツ（バレル）を表す斜視図である。
【図１２】図１２は本願発明の第６実施例に係るダーツに用いるバレルの分解斜視図および斜視図である。
【図１３】図１３は本願発明の第７実施例に係るダーツに用いるバレルの分解斜視図および斜視図である。
【図１４】図１４は本願発明の第８実施例に係るダーツ（バレル）の外観および動作状態を表す斜視図である。
【図１５】図１５は本願発明の第９実施例に係るダーツ（バレル）の外観および動作状態を表す斜視図である。
【図１６】図１６は本願発明の第１０実施例に係るダーツ（バレル）の外観および動作状態を表す斜視図である。
【図１７】図１７は本願発明の第１１実施例に係るダーツを表す斜視図である。
【図１８】図１８は本願発明に係るダーツを刺す的の説明図である。
【符号の説明】
１  ダーツ
３  ポイント
５  バレル
７  シャフト
９  フライト
１１  的
１３  係合子
１５  軸部
１７  雄ねじ
１９  後端面
２１  凹溝
２３  雌ねじ
２５  先端面
２７  後端面
２９  雌ねじ
３１  雄ねじ
３３  取付部
４１  基部材
４３  可動部材
４５  保持部材
４７  回動部材
４９  リンクアーム
５１  長軸
５３（５３ａ、５３ｂ）  凸軸
５５  凸縁
５７  凸部
５９  孔
６１（６１ａ、６１ｂ）  凸軸
６３（６３ａ、６３ｂ）  軸孔
６５（６５ａ、６５ｂ）  軸孔
６７（６７ａ、６７ｂ）  凸軸
６９（６９ａ、６９ｂ）  軸孔
７１  基部材
７３（７３ａ、７３ｂ）  回動部材
７５（７５ａ、７５ｂ）  外装部材
７７（７７ａ、７７ｂ）  孔
７９（７９ａ、７９ｂ）  孔
８１（８１ａ、８１ｂ）  突起
８３（８３ａ、８３ｂ）  回動部材
８５  基部材
８７（８７ａ、８７ｂ）  回動軸
８９（８９ａ、８９ｂ）  回動部材
９１  基部材
９３ａ  軸部材
９３ｂ  軸部材
９５ａ  前端部
９５ｂ  後端部
９７（９７ａ、９７ｂ）  翼部材
９９  基部材
１０１（１０１ａ、１０１ｂ）  装着溝
１０３  フランジ
１０５  シャフト
１０７（１０７ａ、１０７ｂ、１０７ｃ、１０７ｄ、１０７ｅ）  装着部材
１０９  基部材
１１１  中間部材
１１３  先端部材
１１５ａ小径部
１１５ｂ  中径部
１１５ｃ  大径部
１１７  穴
１１９  筒状部
１２１（１２１ａ〜ｄ）  翼状片
１２３  穴
１２５  先端部材
１２７  基部材
１２９  コイルスプリング
１３１  軸部
１３３  翼状板
１３５  先端部材
１３７  基部材
１３９  駆動部材
１４１  軸部
１４５  先端部材
１４７  基部材
１４９  駆動部材
１５１  板状片
３０１  的本体
３０３  得点板
３０５  枠部材
３０７  底板
３０９  側壁
３１１  孔
３１３  小孔
３１５  小孔
３１７  突起
３１９  基板
３２１  リブ
【図１】
2004242937.tif 000003
【図２】
2004242937.tif 000004
【図３】
2004242937.tif 000005
【図４】
2004242937.tif 000006
【図５】
2004242937.tif 000007
【図６】
2004242937.tif 000008
【図７】
2004242937.tif 000009
【図８】
2004242937.tif 000010
【図９】
2004242937.tif 000011
【図１０】
2004242937.tif 000012
【図１１】
2004242937.tif 000013
【図１２】
2004242937.tif 000014
【図１３】
2004242937.tif 000015
【図１４】
2004242937.tif 000016
【図１５】
2004242937.tif 000017
【図１６】
2004242937.tif 000018
【図１７】
2004242937.tif 000019
【図１８】
2004242937.tif 000020